(57)【要約】【課題】簡易な構成で端子部の厚さを調整可能な携帯電子機器を提供することにある。【解決手段】メモリカード１は、カード状、かつ、折り曲げ可能に形成された筐体と、接続対象機器の接続部の端子と電気的に接続可能なカード側端子７が形成された端子部３と、筐体の内部に形成され、端子部３のカード側端子７によって外部の電子機器と情報通信可能な電子回路と、を有し、端子部３の厚さは、接続対象機器の接続部に適合する厚さよりも薄く形成されており、筐体を折り曲げて複数部分重ね合わせることによって、接続対象機器の接続部に適合する厚さとなる。【選択図】図１
2011113249.tif 000002
【特許請求の範囲】
【請求項１】
カード状、かつ、折り曲げ可能に形成された筐体と、
接続対象機器の接続部の端子と電気的に接続可能なカード側端子が形成された端子部と、
前記筐体の内部に形成され、前記端子部の前記カード側端子によって前記接続対象機器と情報通信可能な電子回路と、を有し、
前記端子部の厚さは、前記接続対象機器の接続部に適合する厚さよりも薄く形成されており、
前記筐体を折り曲げられて複数部分重ね合わされた状態で、接続対象機器の接続部に適合する厚さとなる
請求項１に記載の携帯電子機器。
【請求項２】
前記端子部と一辺において接続する肉厚調整部を有し、
前記肉厚調整部は、一定の方向に折り曲げられて重ね合わされた状態で、接続対象機器の接続部に適合する厚さとなる
請求項１に記載の携帯電子機器。
【請求項３】
前記肉厚調整部は、前記一定の方向とは逆に折り曲げられて重ね合わされた状態で、前記端子部の前記カード側端子を保護する
請求項２に記載の携帯電子機器。
【請求項４】
折り曲げられた状態で、一定の機能が発揮される
請求項１〜３いずれか１項に記載の携帯電子機器。
【請求項５】
折り曲げられた状態で、一定の機能が発揮できなくなる
請求項１〜４いずれか１項に記載の携帯電子機器。
【請求項６】
アンテナを有し、
前記アンテナは、折り畳まれた状態で非受信状態となるように形成される
請求項５に記載の携帯電子機器。
【請求項７】
第１の筐体部と、
第２の筐体部と、を有し、
前記アンテナは、
前記第１の筐体部に形成された第１のアンテナ部と、
前記第２の筐体部に形成された第２のアンテナ部と、を含み、
前記第１の筐体部と前記第２の筐体部が折り曲げて重ね合わされる場合に、前記第１のアンテナ部の配線と前記第２のアンテナ部の配線とが重ね合わされるように形成される
請求項６に記載の携帯電子機器。
【請求項８】
前記アンテナは、非接触式ＩＣカード用のアンテナである
請求項７に記載の携帯電子機器。
【請求項９】
前記筐体は、折り曲げられることによって、折り重ねられた厚さよりも厚さ方向に突出した立体形状を有する
請求項１〜８いずれか１項に記載の携帯電子機器。
【請求項１０】
前記筐体は、折り曲げられ立体形状となることによって立体アンテナとなる
請求項９に記載の携帯電子機器。
【発明の詳細な説明】
【技術分野】
【０００１】
本発明は、パーソナルコンピュータ、カメラ、テレビジョン、プリンタ、等の各種電子機器に接続可能な、メモリカード、非接触式ＩＣカード等の携帯電子機器に関する。
【背景技術】
【０００２】
特許文献１には、フラッシュメモリの端子部の厚さを接続対象機器の端子部が必要とする厚さと同一にするために、筐体の一部を切り離してこれを重合わせて接続することによって、端子部の厚さを厚くする携帯電子機器が開示されている。
【先行技術文献】
【特許文献】
【０００３】
【特許文献１】実用新案登録第３１１５２９７号公報
【発明の概要】
【発明が解決しようとする課題】
【０００４】
しかしながら、文献１に記載の方法においては、ブロック部を取り外して装着しなければならないという不利益がある。さらに、ブロック部を紛失してしまうおそれもある。
【０００５】
本発明は、簡易な構成で端子部の厚さを調整可能な携帯電子機器を提供することにある。
【課題を解決するための手段】
【０００６】
本発明の携帯電子機器は、カード状、かつ、折り曲げ可能に形成された筐体と、接続対象機器の接続部の端子と電気的に接続可能なカード側端子が形成された端子部と、前記筐体の内部に形成され、前記端子部の前記カード側端子によって接続対象機器と情報通信可能な電子回路と、を有し、前記端子部の厚さは、外部の電子機器の接続部に適合する厚さよりも薄く形成されており、前記筐体を折り曲げて複数部分重ね合わされた状態で、接続対象機器の接続部に適合する厚さとなる。
【発明の効果】
【０００７】
本発明によると、簡易な構成で端子部の厚さを調整可能な携帯電子機器を提供することができる。
【図面の簡単な説明】
【０００８】
【図１】本発明の実施形態に係るメモリカードの外観を示す斜視図である。
【図２】第２の実施形態の説明図である。
【図３】複数回折りの例についての説明図である。
【図４】折り畳むことによって機能制限をする場合の説明図である。
【図５】立体形状に折り畳む場合の説明図である。
【発明を実施するための形態】
【０００９】
以下、発明を実施するための最良の形態（以下実施形態とする）について説明する。
なお、説明は以下の順序で行う。
１．第１の実施形態（２つ折りの例について）
２．第２の実施形態（３つ折りの例について）
３．第３の実施形態（複数回折りの例について）
４．第４の実施形態（折ることによる機能発揮及び機能制限について）
５．第５の実施形態（立体形状に折る例について）
【００１０】
＜１．第１の実施形態（１つ折りの例について）＞
図１は、本発明の実施形態に係るメモリカード１の外観を示す斜視図である。
【００１１】
メモリカード１は、その内部に少なくとも、メモリ機能を有する半導体回路を有している。
この半導体回路は、メモリカード１の筐体の内部に配置されている。
そして、このメモリ機能を有する半導体回路に情報が記憶されている。
なお、メモリ機能を有する半導体回路とは、たとえば、フラッシュメモリ回路である。
もっとも、メモリカード１は多機能化しており、メモリ機能にとどまらず様々な機能を有していてもよい。
たとえば、非接触式ＩＣカード機能、無線通信機能、赤外線通信機能、プリペードカード機能、個人識別機能、暗号解除機能、ユーザへの報知機能、ユーザへの表示部としての機能、センサ機能、決済機能等である。
【００１２】
これらの機能を有する半導体回路と、メモリカード１に接続される接続対象機器と、の間の情報信号を入出力等する為に、カード側端子７が構成されている。
このカード側端子７を通じて、メモリカード１中の半導体回路は、必要な情報信号の入出力を行う。
さらに、このカード側端子７を通じて、メモリカード１中の半導体回路は電力の供給を受ける。
ここで、接続対象機器とは、ＵＳＢ（Universal Serial Bus）端子を有する機器であればどのようなものであってもよい。
たとえば、パーソナルコンピュータ、ノート型コンピュータ、コピー機、プリンタ、テレビジョン、ビデオレコーダ、ＤＶＤレコーダ、携帯電話機、ＰＤＡ、ＦＡＸ、等である。
なお、ＵＳＢ端子は、メモリカード１が接続可能な端子の一例であり、メモリカード１が情報通信のために接続可能な端子であればどのようなものであってもよい。
【００１３】
図１（ａ）のように、メモリカード１は、カード側端子７が形成される端子部３及び端子の厚さを調整する肉厚調整部５を有する。
カード側端子７は、第１電力端子７ａ、第１信号端子７ｂ、第２信号端子７ｃ及び第２電力端子７ｄから構成されている。
この第１電力端子７ａ及び第２電力端子７ｄによって、接続対象機器から電力が供給されている。
この電力は、半導体回路に供給されて、メモリカード１の駆動に用いられている。
なお、メモリカード１に、半導体回路に電力を供給する手段が設けられていてもよい。
たとえば、電池等のバッテリが搭載されていてもよいし、磁場の変化によって発電するコイルが搭載されていてもよい。
また、第１信号端子７ｂと第２信号端子７ｃは、半導体回路と接続対象機器とを接続して、情報信号を入出する端子である。
【００１４】
メモリカード１の半導体回路は、メモリ機能を有するメモリ部と、このメモリ部を制御するコントローラ部とを有する。
コントローラ部は、メモリ部に情報を記憶させる場合には、その旨の命令信号及び記憶させる情報信号をメモリ部に出力する。
逆に、メモリ部が記憶している情報を接続対象機器に出力する場合には、その旨の命令信号をメモリ部に出力し、メモリ部が出力してきた情報信号を接続対象機器にカード側端子７を通じて出力する。
コントローラ部はカード側端子７と接続されており、この端子を通じてコントローラ部は、接続対象機器と情報信号入出力を行う。
なお、コントローラ部及びメモリ部は、端子部３内に設けられているが、肉厚調整部５内に設けられていてもよい。
また、コントローラ部は、メモリカード１が記憶機能のみならずその他の機能を有する場合には、その他の機能を制御していてもよい。
【００１５】
図１（ａ）は、メモリカード１が接続対象機器に接続可能な状態を表したものである。
このように、肉厚調整部５が端子部３のカード側端子７が形成されている側とは反対側に折り畳まれた場合に、メモリカード１は接続対象機器と接続が可能となる。
肉厚調整部５と端子部３とは、メモリカード１が接続対象機器に挿入される場合の挿入方向の位置において、接続されている。
なお、肉厚調整部５と端子部３とは、メモリカード１が接続対象機器に挿入される場合の挿入方向の逆位置において接続されてもよいし、他の方向位置において接続されていてもよい。
図１（ｃ）は、接続対象機器から取り外して持ち運ぶ場合の状態を表したものである。
このように、肉厚調整部５が端子部３のカード側端子７が形成されている側に折り畳まれた状態となることによって、端子部３のカード側端子７を保護することが可能となる。
図１（ｂ）は、図１（ａ）と図１（ｃ）との間の中間の状態を説明するものである。
【００１６】
なお、ユーザが持ち運びする時に、図１（ｃ）の肉厚調整部５が端子部３のカード側端子７が形成されている側に折り畳まれた状態となるとしたが、図１（ｂ）のように、開いた状態で持ち運ぶように構成することも可能である。
この場合には、より薄い肉厚のメモリカード１を携帯することが可能となり、使用時にはメモリカード１の肉厚調整部５を折りたたむことによって、接続対象機器の接続部の厚さに適合させることができる。
ユーザは、携帯する道具はできるだけ薄くてコンパクトなものを好むのが通常である。しかし、接続対象機器と接続するカード側端子７の部分は、定められた寸法よりも薄く作成してしまうと、メモリカード１が接続対象機器と接続できなくなってしまう。
そこで、メモリカード１を折り曲げて畳むことによって、カード側端子７の部分の厚さを接続対象機器に定められた寸法と適合させている。
つまり、接続対象機器との接続に必要な厚さの１／２の厚さのメモリカード１を作成することが可能となる。
【００１７】
＜２．第２の実施形態（３つ折りの例について）＞
図２は、第２の実施形態の説明図である。
【００１８】
図２のように、メモリカード１は、２つの肉厚調整部５である、第１肉厚調整部５ａ及び第２肉厚調整部５ｂを有している。
メモリカード１が接続対象機器に挿入される場合の左右方向の位置において、第１肉厚調整部５ａ及び第２肉厚調整部５ｂと端子部３とは接続されている。
第１肉厚調整部５ａと第２肉厚調整部５ｂは、画面手前側に折り曲げて畳んだ場合に、カード側端子７を保護することができる。
また、逆に画面奥方向に折り曲げて畳んだ場合に、接続対象機器との接続に必要な厚さに形成することができる。
そして、折り畳まずに開いた状態にしてユーザが持ち運ぶ場合には、接続対象機器との接続に必要な厚さの１／２の厚さのメモリカード１を作成することが可能となる。
【００１９】
＜３．第３の実施形態（複数回折りの例について）＞
図３は、複数回折りの例についての説明図である。
【００２０】
図３（ａ）のように、端子部３は、長板形状のベース部３ｂと突起部３ａとにより形成されている。
突起部３ａは、メモリカード１が接続対象機器に接続する方向における、ベース部３ｂの側面の中央に接続されている。
突起部３ａは、正方形の板状に形成されている。
また、突起部３ａの手前方向の位置には、カード側端子７が形成されている。
メモリカード１が接続対象機器に接続する方向において、突起部３ａは肉厚調整部５と接続されている。
【００２１】
メモリカード１は、第１筐体部９と第２筐体部１１とを有する。
メモリカード１が接続対象機器に接続する方向において、肉厚調整部５は第１筐体部９と接続される。
第１筐体部９は、凹形状を有しており、凹形状の凹んだ部分において肉厚調整部５と接続されている。
また、第１筐体部９は、接続対象機器に接続する方向とは反対方向位置において第２筐体部１１と接続されている。
第２筐体部１１は、第１筐体部９の凹んだ部分と同じ側の辺で、凹んでいない辺において、第１筐体部９とそれぞれ接続されている。
そして、接続対象機器に接続する方向とは反対方向位置において、第２筐体部１１は、それぞれベース部３ｂと接続されている。
【００２２】
図３（ｂ）は、図３（ａ）の形状に形成されたメモリカード１を折り畳んだ図である。
この図３（ｂ）の形状に折り畳むには、突起部３ａと肉厚調整部５とを山折りにし、肉厚調整部５と第１筐体部９とを谷折りにし、第１筐体部９と第２筐体部１１を谷折りにし、第２筐体部１１とベース部３ｂとを山折りにする。
このように構成したことによって、カード形状をしたメモリカード１の端子部３（突起部３ａ）の部分の厚さを、接続対象機器の接続する部分が要求する厚さにすることが可能となる。
さらに、ユーザは携帯時にはカード状にして持ち歩くことができるので、財布等のカード入れにそのまま入れて持ち運ぶことができ、利便性が増す。
さらに、カードの厚さは、接続対象機器の接続する部分が要求する厚さの１／２であることから、より薄くすることができ、持ち運ぶ際の利便性が高い。
なお、この第３の実施形態では、肉厚調整部５は１つであったことから、接続対象機器の接続する部分が要求する厚さの１／２となっていた。しかし、これを発展させて、複数の肉厚調整部５を有し、これらを折り畳むことを可能とすれば、より薄いメモリカード１を作ることができ、より利便性が増す。
【００２３】
＜４．第４の実施形態（折ることによる機能発揮及び機能制限について）＞
【００２４】
以上の、カードを折り畳むことによって、接続対象機器の接続部に適合させる為に、折り畳むという概念は、以下の様に発展させることができる。
カードを折り畳むことによって、メモリカード１が有する複数の機能のうち、１つ又は複数を選択的に発揮させることができる。
また、逆に、メモリカード１が有する複数の機能のうち、一つ又は複数を操作不可能とすることもできる。
このようにする理由を以下に説明する。
まず、メモリカード１は高機能化が進んでおり、メモリカード１の機能は飛躍的に増加する傾向にある。
そして、その複数の機能を液晶等の表示部によって選択することも可能であるが、出来れば物理的な方法で、使用したい機能を選択して駆動、又は、使用したくない機能を選択して停止、することができた方がユーザはより容易に操作することが可能である。
そこで、本実施形態では、ユーザが物理的に折り畳むことによって、機能を選択的に実行、又は、機能を選択的停止し、ユーザの操作性を向上させる。
以下では、折り畳むことによって機能を選択的に停止させる例を説明する。
【００２５】
図４は、折り畳むことによって機能制限をする場合の説明図である。
【００２６】
図４の折り畳み方は、図３の場合と同じである。
メモリカード１は、さらに、非接触式ＩＣカード機能を有している。
非接触式ＩＣカードは、無線通信によって個人識別や決済等を行うカードである。
図４（ａ）のように、この非接触式ＩＣカード機能を発揮させる為に、メモリカード１には非接触式ＩＣカード用チップ１３及び非接触式ＩＣカード用アンテナ１５がその筐体の内部に配置される。
非接触式ＩＣカード用アンテナ１５によって情報信号を受信し、この情報信号は非接触式ＩＣカード用チップ１３によって情報処理される。
この情報処理は、たとえば、個人識別や決済等を行う。
そして、必要があれば、非接触式ＩＣカード用チップ１３は、非接触式ＩＣカード用アンテナ１５を用いて、無線通信を行って外部の電子機器に対して信号を発信する。
また、図４（ａ）のように、非接触式ＩＣカード用アンテナ１５は１回又は複数回ループしたアンテナ線によって構成されている。
ここで、非接触式ＩＣカード用アンテナ１５の第１筐体部９に配置されている部分を、第１アンテナ部１５ａとし、非接触式ＩＣカード用アンテナ１５の第２筐体部１１に配置されている部分を、第２アンテナ部１５ｂとする。
このような、１回又は複数回ループしたアンテナ線によって構成されている非接触式ＩＣカード用アンテナ１５は、ループ状態でないとそのアンテナとしての機能を発揮することができない。
そこで、図４（ｂ）のように、アンテナ線が同一の部分になるように折り畳むことによって、非接触式ＩＣカードの機能を使用不能としている。
つまり、第１アンテナ部１５ａと第２アンテナ部１５ｂとを重ね合わせる。
【００２７】
なお、このようにアンテナ線にアンテナ機能を発揮できなくするように出来るものであれば、このような構成である必要はない。
たとえば、第１筐体部９及び第２筐体部１１を、電磁波をシールドする金属等で構成して、アンテナ線を覆うようにすることによって、無線機能を発揮できなくすることも可能である。
【００２８】
以上の例では、物理的に非接触式ＩＣカード用アンテナ１５を折りたたんでループをなくして、非接触式ＩＣカード機能を使用できなくしたが、これに限る趣旨ではない。
つまり、折り畳まれている状態、折り畳まれた回数等を電気的な方法（たとえば、スイッチ等の検出機で検出）で検出してもよい。
たとえば、一つの曲げる場所を山折り３回谷折り１回したことを検出してもよい。
これを、さらに発展させると、メモリカード１に鍵をかけることができる。
つまり、複数の箇所を折り畳み可能としておき、その複数の折り畳み箇所をどのような順序で何回折り畳んだか検出可能としておき、これ以外の場合にはメモリカード１の機能を発揮しなくすることができる。
これによって、重要情報が記憶されているメモリカード１を万一紛失しても第三者に重要情報が読み出される心配が低減される。
また、メモリカード１自体の機能ではなく、メモリカード１が接続される接続対象機器の機能停止を解除する鍵として作用させることも可能である。
【００２９】
＜５．第５の実施形態（立体形状に折る例について）＞
以上の例では、メモリカード１は折り曲げられて、畳まれていた。しかし、必ずしも畳む必要はない。
つまり、立体形状に折り畳むことも可能である。
以下、立体形状に折り畳む例について記載する。
【００３０】
図５は、立体形状に折り畳む場合の説明図である。
【００３１】
図５は、基本的に図３及び図４と同じ形状のメモリカード１である。異なる点は、折り畳まれる方向が異なる点である。
また、ベース部３ｂに係合部２３が設けられ、第１筐体部９には、被係合部２１が設けられている点も異なる。
そして、第１筐体部９及び第２筐体部１１を谷折りにすることによって、図５（ｂ）の様に折り畳む。
そして、係合部２３に被係合部２１を挿入することによって、この形状を維持する。
このように構成することによって、メモリカード１は立体形状となり、立体形状でなければ機能しないような機能を持たせることができる。または、立体形状の方が効率が高くなる機能を持たせたりすることができる。
具体的には、アンテナ線は立体形状を有していた方がより感度が高くなるので、メモリカード１の立体形状となる第１筐体部９及び第２筐体部１１にアンテナ線を設ける。
このように構成したことによって、メモリカード１により高度な機能を発揮させることができる。
【００３２】
以上の実施形態によれば、メモリカード１は、カード状、かつ、折り曲げ可能に形成された筐体と、接続対象機器の接続部の端子と電気的に接続可能なカード側端子７が形成された端子部３とを有している。
また、メモリカード１は、筐体の内部に形成され、端子部３のカード側端子７によって外部の電子機器と情報通信可能な電子回路と、を有している。
そして、端子部３の厚さは、接続対象機器の接続部に適合する厚さよりも薄く形成されており、筐体を折り曲げて複数部分重ね合わせられた状態で、接続対象機器の接続部に適合する厚さとなる。
このように構成することによって、薄いメモリカード１を作製することが可能となる。
そして、このことは、利便性、携帯性の優れたメモリカード１を提供することができることを意味する。
また、肉厚調整部５が切り離されないために、肉厚調整部５を紛失する恐れがないという効果がある。
【００３３】
端子部３と一辺において接続する肉厚調整部５と、を有し、肉厚調整部５は、一定の方向に折り曲げられて重ね合わされた状態で、接続対象機器の接続部に適合する厚さとなる。
このように構成することによって、薄いメモリカード１を作製することが可能となる。
そして、このことは、利便性、携帯性の優れたメモリカード１を提供することができることを意味する。
また、肉厚調整部５が切り離されないために、肉厚調整部５を紛失する恐れがないという効果がある。
さらに、このように構成したことによって、簡便な形状で端子部３の厚さを調節することができるメモリカード１を作成できるという効果がある。
【００３４】
肉厚調整部５は、一定の方向とは逆に折り曲げられて重ね合わされた状態で、端子部３のカード側端子７を保護する。
このように構成することによって、簡便な構成によってカード側端子７を保護することができる。
【００３５】
メモリカード１は、折り曲げられた状態で、一定の機能が発揮される。
このように構成することによって、ユーザは物理的な方法によって必要な機能を実行することができる。
【００３６】
メモリカード１は、折り曲げられた状態で、一定の機能が発揮できなくなる。
このように構成することによって、不必要な機能を物理的な方法によって制限することが可能となる。
【００３７】
メモリカード１は、非接触式ＩＣカード用アンテナ１５と、非接触式ＩＣカード用チップ１３と、を有し、非接触式ＩＣカード用アンテナ１５は、折り畳まれた状態で非受信状態となるように形成される。
このように構成することによって、非接触式ＩＣカードの機能が不必要場合に、ユーザは物理的な方法によって制限することが可能となる。
【００３８】
メモリカード１は、第１筐体部９と、第２筐体部１１とを有している。
また、非接触式ＩＣカード用アンテナ１５は、前記第１の筐体部に形成された第１アンテナ部１５ａと、第２筐体部１１に形成された第２アンテナ部１５ｂと、を含んでいる。
そして、第１筐体部９と第２筐体部１１が折り曲げて重ね合わされる場合に、第１アンテナ部１５ａの配線と第２アンテナ部１５ｂの配線とが重ね合わされるように形成される。
このように構成することによって、非接触式ＩＣカードの機能が不必要な場合に、ユーザは物理的な方法によって制限することが可能となる。
【００３９】
アンテナは、非接触式ＩＣカード用のアンテナである。
このように構成することによって、非接触式ＩＣカードの機能が不必要な場合に、ユーザは物理的な方法によって制限することが可能となる。
【００４０】
筐体は、折り曲げられることによって、折り重ねられた厚さよりも厚さ方向に突出した立体形状を有する。
このように構成することによって、携帯することが多い非接触式ＩＣカードをより、容易に携帯することができる。
【００４１】
筐体は、折り曲げられ立体形状となることによって立体アンテナとなる。
このように構成することによって、より受信感度の高いアンテナをメモリカード１に搭載することが可能となる。
【００４２】
なお、本発明における筺体とは、携帯電子機器を収容する容器に該当するものであればどのようなものであってもよい。さらに、容器の一部であっても筺体に該当する。
【００４３】
本発明における立体形状とは、単にカード状の筐体の厚さによる立体をいうものではなく、さらに、折り曲げられて重ね合わされることによって厚さが増すことによる立体をいうものではない。
つまり、図５のように、折り曲げられることによって、折り重ねられた厚さよりも厚さ方向に突出した立体形状を有することをいう。
【００４４】
本発明は、以上の実施形態に限定されず、種々の態様で実施されてよい。
【００４５】
携帯電子機器は、メモリカード１に限定されない。例えば、携帯電子機器は、ノートパソコン、ＰＤＡ、ゲーム機、カメラ、その他の電子機器であってもよい。また、携帯電子機器は、折り畳み式のものに限定されない。ケースが一体的に構成されたもの（１つのみのケース）であってもよい。
【符号の説明】
【００４６】
１…メモリカード、３…端子部、３ａ…突起部、３ｂ…ベース部、  ５…肉厚調整部、７…カード側端子、７ａ…第１電力端子、７ｂ…第１信号端子、７ｃ…第２信号端子、７ｄ…第２電力端子、９…第１筐体部（第１の筐体部）、１１…第２筐体部（第２の筐体部）、１３…非接触式ＩＣカード用チップ、１５…非接触ＩＣカード用アンテナ、１５ａ…第１アンテナ部（第１のアンテナ部）、１５ｂ…第２アンテナ部（第２のアンテナ部）、２１…被係合部、２３…係合部
【図１】
2011113249.tif 000003
【図２】
2011113249.tif 000004
【図３】
2011113249.tif 000005
【図４】
2011113249.tif 000006
【図５】
2011113249.tif 000007